(57)【要約】      （修正有）【課題】くるみ製本のために適切な画像データの印刷処理を行う画像形成装置等を提供する。【解決手段】画像形成装置１００は、複数ページの画像データとくるみ製本の表紙用のページを特定する情報を含む印刷条件データとで構成された印刷データを受信する受信部１０１と、印刷条件データに基づいて複数ページの画像データからくるみ製本の表紙用の画像データを特定する特定部１０４および配置を判断する印刷順制御部１０５と、表紙用の画像データと本文内容の画像データとをくるみ製本するために表紙と本文内容とに関して予め設定された印刷順序に従って印刷する印刷部１０７とを備える。【選択図】図１
2009223405.tif 000002
【特許請求の範囲】
【請求項１】
複数ページの画像データと、くるみ製本の表紙用のページを特定する情報を含む製本条件情報と、を入力処理する入力手段と、
前記製本条件情報に基づいて、前記複数ページの画像データから、くるみ製本の表紙用の画像データを特定する特定手段と、
前記表紙用の画像データと、本文内容の画像データとを、くるみ製本するために表紙と本文内容とに関して予め設定された印刷順序に従って印刷する印刷手段と、
を備えたことを特徴とする画像形成装置。
【請求項２】
前記入力手段は、前記複数ページの画像データの前から所定の数のページを前表紙用のページとして特定し、前記複数ページの画像データの最後から所定の数のページを後表紙用のページとして特定する前記製本条件情報を入力処理することを特徴とする請求項１に記載の画像形成装置。
【請求項３】
前記前表紙用の画像データを一時的に記憶する記憶手段と、
前記印刷手段は、前記本文内容の画像データを印刷した後、前記記憶手段に記憶された前記前表紙用の画像データと、前記後表紙用の画像データとを印刷すること、
を特徴とする請求項２に記載の画像形成装置。
【請求項４】
前記入力手段は、前記複数の画像データのうち１ページのみ、前表紙用又は後表紙用のページとして特定する前記製本条件情報を入力処理し、
前記特定手段は、前記製本条件情報に基づいて、前表紙用又は後表紙用のページとして、１ページの画像データを特定し、
前記印刷手段は、特定された前記１ページの画像データを、前表紙用又は後表紙用のページとして印刷し、特定された１ページの裏のページを白紙として印刷すること、
を特徴とする請求項１乃至３のいずれか一つに記載の画像形成装置。
【請求項５】
複数のページの画像データにおいて、くるみ製本の表紙用のページを特定する情報の入力を受け付ける受付手段と、
前記受付手段が受け付けた、くるみ製本の表紙用のページを特定する情報を含んだ製本条件情報を生成する条件情報生成手段と、
前記画像データと、前記製本条件情報とを、画像形成装置に対して出力する出力手段と、
を備えることを特徴とする情報処理装置。
【請求項６】
前記受付手段は、複数のページの画像データにおいて、最初からの所定のページ及び最後からの所定のページを表紙用のページを特定する情報の入力を受け付けること、
を特徴とする請求項５に記載の情報処理装置。
【請求項７】
複数のページの画像データにおいて、くるみ製本の表紙用のページを特定する情報の入力を受け付ける受付ステップと、
前記受付ステップが受け付けた、くるみ製本の表紙用のページを特定する情報を含んだ製本条件情報を生成する条件情報生成ステップと、
前記画像データと、前記製本条件情報とを、画像形成装置に対して出力する出力ステップと、
をコンピュータに実行させる情報処理プログラム。
【請求項８】
くるみ製本するための印刷を行う印刷システムであって、
複数のページの画像データにおいて、くるみ製本の表紙用のページを特定する情報の入力を受け付ける受付手段と、
前記受付手段が受け付けた、くるみ製本の表紙用のページを特定する情報を含んだ製本条件情報を生成する条件情報生成手段と、
前記画像データと、前記製本条件情報とを出力する出力手段と、
複数ページの画像データと、くるみ製本の表紙用のページを特定する情報を含む製本条件情報と、を入力処理する入力手段と、
前記製本条件情報に基づいて、前記複数ページの画像データから、くるみ製本の表紙用の画像データを特定する特定手段と、
前記表紙用の画像データと、本文内容の画像データとを、くるみ製本するために表紙と本文内容とに関して予め設定された印刷順序に従って印刷する印刷手段と、
を備えたことを特徴とする画像処理システム。
【発明の詳細な説明】
【技術分野】
【０００１】
本発明は、紙媒体に印刷処理を行うための画像形成装置、情報処理装置、情報処理プログラム及び画像処理システムに関するものである。
【背景技術】
【０００２】
近年、プリンタなど画像形成措置に接続する製本機が製品化されている。当該製本機は、画像形成装置から出力される複数枚の印刷物を自動的に製本することができる。
【０００３】
製品化された製本機には、印刷物本文（中紙）の印刷束を表紙（くるみ表紙）となる大きな用紙で包む様に製本する装置も存在する。当該製本機では、表紙で本文内容を包み込む処理と、包み込んだ後に３辺のカット処理と、を行うことで、表紙と本文内容を同一サイズにして製本する。
【０００４】
つまり、画像形成装置がくるみ表紙と中紙というサイズの異なる紙に対して印刷した後、製本機が製本処理を行う。このくるみ表紙は、前表紙と、裏表紙とが一体となっている。このため、画像形成装置は、画像データを最初のページから順に印刷すればよいものではなく、くるみ製本用の印刷処理が必要となる。
【０００５】
例えば、特許文献１に記載された技術では、情報処理装置と画像形成装置とが接続されおり、情報処理装置から画像形成装置に、くるみ製本するための画像データを送信するシステムが想定されている。このシステムにおいて、情報処理装置で、表紙と本文内容との画像データを予め定められた印刷順序に設定することで、画像形成装置では、当該印刷順序により、いずれの画像データが表紙か本文内容が認識することができる。
【０００６】
【特許文献１】特開２００７−１０２７２５号公報
【発明の開示】
【発明が解決しようとする課題】
【０００７】
しかしながら、特許文献１に記載された技術では、画像形成装置のくるみ製本の印刷順に従って、情報処理装置側で、くるみ製本の表紙となる画像データのページ番号を設定する必要がある。つまり、画像形成装置と情報処理装置との印刷順序を同期させる必要があり、利用者の操作負担が生じるという問題がある。
【０００８】
本発明は、上記に鑑みてなされたものであって、くるみ製本のために適切な画像データの印刷処理を行う画像形成装置、情報処理装置、情報処理プログラム及び画像処理システムを提供することを目的とする。
【課題を解決するための手段】
【０００９】
上述した課題を解決し、目的を達成するために、本発明は、複数ページの画像データと、くるみ製本の表紙用のページを特定する情報を含む製本条件情報と、を入力処理する入力手段と、前記製本条件情報に基づいて、前記複数ページの画像データから、くるみ製本の表紙用の画像データを特定する特定手段と、前記表紙用の画像データと、本文内容の画像データとを、くるみ製本するために表紙と本文内容とに関して予め設定された印刷順序に従って印刷する印刷手段と、を備えたことを特徴とする。
【００１０】
また、本発明は、複数のページの画像データにおいて、くるみ製本の表紙用のページを特定する情報の入力を受け付ける受付手段と、前記受付手段が受け付けた、くるみ製本の表紙用のページを特定する情報を含んだ製本条件情報を生成する条件情報生成手段と、前記画像データと、前記製本条件情報とを、画像形成装置に対して出力する出力手段と、を備えることを特徴とする。
【００１１】
また、本発明は、複数のページの画像データにおいて、くるみ製本の表紙用のページを特定する情報の入力を受け付ける受付ステップと、前記受付ステップが受け付けた、くるみ製本の表紙用のページを特定する情報を含んだ製本条件情報を生成する条件情報生成ステップと、前記画像データと、前記製本条件情報とを、画像形成装置に対して出力する出力ステップと、をコンピュータに実行させる。
【００１２】
また、本発明は、くるみ製本するための印刷を行う印刷システムであって、複数のページの画像データにおいて、くるみ製本の表紙用のページを特定する情報の入力を受け付ける受付手段と、前記受付手段が受け付けた、くるみ製本の表紙用のページを特定する情報を含んだ製本条件情報を生成する条件情報生成手段と、前記画像データと、前記製本条件情報とを出力する出力手段と、複数ページの画像データと、くるみ製本の表紙用のページを特定する情報を含む製本条件情報と、を入力処理する入力手段と、前記製本条件情報に基づいて、前記複数ページの画像データから、くるみ製本の表紙用の画像データを特定する特定手段と、前記表紙用の画像データと、本文内容の画像データとを、くるみ製本するために表紙と本文内容とに関して予め設定された印刷順序に従って印刷する印刷手段と、を備えたことを特徴とする。
【発明の効果】
【００１３】
本発明の画像形成装置及び画像処理システムによれば、製本条件情報により、くるみ製本のための表紙用の画像データを特定できるので、印刷データの送信元の装置と、画像形成装置との間で、くるみ表紙用の画像データのページが一致するように設定する必要がなくなり、設定負担が軽減するという効果を奏する。
【００１４】
また、情報処理装置及び情報処理プログラムにおいては、くるみ製本のための表紙用の画像データを特定する製本条件情報を印刷データに含めることで、印刷データの送信元の装置と、画像形成装置との間で、くるみ表紙用の画像データのページが一致するように設定する必要がなくなり、設定負担が軽減するという効果を奏する。
【発明を実施するための最良の形態】
【００１５】
以下に添付図面を参照して、この発明にかかる画像形成装置、情報処理装置、情報処理プログラム及び画像処理システムの最良な実施の形態を詳細に説明する。また、本実施の形態は、情報処理装置として、ＰＣ（Personal  Computer）を用いた例について説明する。本実施の形態は、情報処理装置をＰＣに制限するものではなく、例えばオフィス環境で用いられるオフィス機器や携帯電話端末など、あらゆる情報処理装置に対して適用することができる。
【００１６】
本発明の一実施の形態として、画像形成装置であってコピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi  Function  Peripheral）と称される複合機に適用した例を示す。
【００１７】
（第１の実施の形態）
図１は、第１の実施の形態にかかるネットワーク１８０を介して接続された画像形成装置１００とＰＣ１５０の構成を示すブロック図である。本図に示すようにＰＣ１５０の内部は、文書編集アプリケーション１５１と、プリンタドライバ１５２とを備える。
【００１８】
文書編集アプリケーション１５１は、文書データを編集するアプリケーションとする。そして、当該文書編集アプリケーション１５１で編集された文書データを印刷したい場合に、後述するプリンタドライバ１５２を呼び出すことができる。例えば、文書編集アプリケーション１５１において、印刷命令を選択することで、プリンタドライバ１５２を呼び出せる。
【００１９】
プリンタドライバ１５２は、印刷指示受付部１６１と、ページ特定受付部１６２と、印刷条件データ生成部１６３と、印刷データ生成部１６４と、送信部１６５と、を備え、印刷データを画像形成装置１００に出力する。
【００２０】
印刷指示受付部１６１は、文書編集アプリケーション１５１によって、印刷命令を選択された後、印刷の実行や、印刷する際の詳細な設定を受け付ける。そして、印刷対象となる文書データや画像データなどは、後述する印刷データ生成部１６４により、画像形成装置１００が認識可能なページ毎の画像データに変換される。この変換される画像データのフォーマットはいずれの形式でも良いが、例えばＰＤＬ（Page  Description  Language）などが考えられる。
【００２１】
例えば、文書編集アプリケーション１５１において、印刷命令の選択を受け付けた場合に、ＰＣ１５０は、印刷に関する設定を受け付けるウィンドウを表示する。そして、当該ウィンドウで、「画像形成装置１００のプロパティ」を表すボタンが押下されることで、図２に示す「画像形成装置１００のプロパティ」のウィンドウが表示される。
【００２２】
図２に示すウィンドウで、“くるみ製本する”のチェックボックス２０１をチェックすることで、印刷指示受付部１６１は、くるみ製本にする旨の指示を受け付けたことになる。そして、“詳細”ボタン２０２を選択することで、さらに詳細な設定を行うためのウィンドウが表示される。
【００２３】
図３は、くるみ製本の詳細設定を行うためのウィンドウの例を示した図である。図３に示すウィンドウに対する設定を受け付けた場合、印刷指示受付部１６１は、くるみ製本をするための設定を受け付けることになる。
【００２４】
図１に戻り、ページ特定受付部１６２は、画像形成装置１００に送信される、複数のページの画像データについて、くるみ製本の表紙用のページを特定する情報の入力を受け付ける。
【００２５】
例えば、ページ特定受付部１６２は、図３に示すウィンドウのうち、表紙画像データの配置３０１のチェックの有無、各面の印刷３０２〜３０５のチェックの有無を、くるみ製本の表紙用のページを特定する情報として入力を受け付ける。
【００２６】
例えば、ページ特定受付部１６２が、各面の印刷３０２〜３０５をチェック、及び表示画面データの配置３０１において“前後に分割”の選択を入力として受け付けた場合、これら情報がくるみ製本の表紙用のページを特定する情報となる。当該特定する情報により、画像データの最初から２ページを、前表紙の表、裏面印刷用の画像データ、画像データの最後から２ページを、後表紙の表、裏面印刷用の画像データとして特定できる。
【００２７】
他の例としては、ページ特定受付部１６２が、各面の印刷３０２〜３０５のチェック、及び表示画面データの配置３０１において“後”の選択を入力として受け付けた場合、これら情報がくるみ製本の表紙用のページを特定する情報となる。当該特定する情報により、画像データの最後から４ページを、前表紙の表、裏面印刷用の画像データ、及び後表紙の表、裏面印刷用の画像データと特定できる。
【００２８】
他の例としては、ページ特定受付部１６２が、各面の印刷として裏面３０３及び３０５のみチェックし、表示画面データの配置３０１において“前後に分割”の選択を入力として受け付けた場合、これら情報がくるみ製本の表紙用のページを特定する情報となる。当該特定する情報により、画像データの最初の１ページを、前表紙の裏面印刷用の画像データと、画像データの最後の１ページを、後表紙の裏面印刷用の画像データと特定できる。
【００２９】
他にも、ページ特定受付部１６２は、各面の印刷３０２〜３０５のチェックと、表示画面データの配置３０１とを、組み合わせて入力を受け付けることで、画像データのいずれかのページを表紙の各面として特定できる。
【００３０】
また、上述したウィンドウによるページの指定に制限するものではなく、表紙の面毎に画像データのページを指定可能であれば、どのような指定手法でも良い。例えば、ウィンドウに対して、利用者が、表紙の各面として印刷する画像データのページを直接設定し、ページ特定受付部１６２が、当該設定を受け付けるようにしても良い。
【００３１】
印刷条件データ生成部１６３は、印刷する条件が設定された印刷条件データを生成する。この印刷条件データには、くるみ製本で表紙用のページが指定された製本条件データも含むものとする。
【００３２】
本実施の形態では、印刷条件データとして、くるみ製本に関する製本条件についてのみ説明する。
【００３３】
印刷条件データには、くるみ製本印刷指示の有無、くるみ表紙の表、裏面への印刷の有無、及びくるみ製本印刷に用いる画像データのページを特定する情報、が含まれている。
【００３４】
くるみ製本印刷指示の有無は、くるみ製本するか否かの指示するコマンド列として、印刷条件データに埋め込まれる。例えば、くるみ製本する場合、コマンド列“@PJL  SET  PERFECTBIND  =  ON”が、印刷条件データに含まれる。一方、くるみ製本しない場合、コマンド列“@PJL  SET  PERFECTBIND  =  OFF”が、印刷条件データに含まれる。
【００３５】
くるみ表紙の表、裏面への印刷の有無は、くるみ表紙の表、裏面の印刷を指示するコマンド列として、印刷条件データに埋め込まれる。例えば、くるみ製本の前表紙の表面に印刷する場合、コマンド列“@PJL  SET  PERFECTBINDFRONTSIDEPRINT_FRONT  =  ON”が、印刷条件データに含まれる。一方、くるみ製本の前表紙の表面へ印刷しない場合、コマンド列“@PJL  SET  PERFECTBINDFRONTSIDEPRINT_FRONT  =  OFF”が、印刷条件データに含まれる。
【００３６】
さらに、くるみ製本の後表紙の後面に印刷する場合、コマンド列“@PJL  SET  PERFECTBINDBACKSIDEPRINT_BACK  =  ON”が、印刷条件データに含まれる。一方、くるみ製本の後表紙の後面に印刷する場合、コマンド列“@PJL  SET  PERFECTBINDBACKSIDEPRINT_BACK  =  OFF”が、印刷条件データに含まれる。
【００３７】
くるみ製本印刷に用いる画像データのページを特定する情報は、表紙となる画像データの配置を表すコマンド列として、印刷条件データに埋め込まれる。例えば、印刷データの最初からの画像データと、最後からの画像データとに表紙用の画像データが分割されている場合、コマンド列“@PJL  SET  PERFECTBINDCOVERDATA  =  BACKANDFORTH”が、印刷条件データに含まれる。また、印刷データの最後からの画像データに表紙用の画像データが纏められている場合、コマンド列“@PJL  SET  PERFECTBINDCOVERDATA  =  BACK”が、印刷条件データに含まれる。また、印刷データの最初からの画像データに表紙用の画像データが纏められている場合、コマンド列“@PJL  SET  PERFECTBINDCOVERDATA  =  FRONT”が、印刷条件データに含まれる。
【００３８】
図４は、印刷条件データの例を示した図である。図４に示した例では、コマンド列４０１でくるみ製本することが指示され、コマンド列４０２〜コマンド列４０５で、くるみ製本の表、裏表紙の表、裏面全て印刷することが指示され、コマンド列４０６で最初からの画像データと、最後からの画像データと、に表紙用の画像データが分けられていることが指示されている。つまり、画像形成装置１００では、印刷データに格納された画像データのうち、最初からの２ページと、最後からの２ページとを用いて表紙用の印刷が行われることになる。
【００３９】
図５は、印刷条件データの他の例を示した図である。図５に示した例では、コマンド列５０１でくるみ製本することが指示され、コマンド列５０２〜コマンド列５０５で、くるみ製本の表、裏表紙の裏面のみ印刷することが指示され、コマンド列５０６で最後からの画像データに、表紙用の画像データが纏められていることが指示されている。つまり、画像形成装置１００では、印刷データに格納された画像データのうち、最後からの２ページを用いて表、裏表紙の裏面のみの印刷が行われることになる。
【００４０】
印刷データ生成部１６４は、印刷条件データと、印刷に利用される画像データとを含む印刷データを生成する。
【００４１】
また、印刷データ生成部１６４は、文書編集アプリケーション１５１等のアプリケーションで生成された画像データや文書データを、画像形成装置１００が認識可能なページ毎の画像データに変換する処理を行う。そして、印刷データ生成部１６４は、変換した画像データと、印刷条件データとを含めた印刷データを生成する。
【００４２】
図６は、印刷データの例を示した図である。図６に示すように印刷データのヘッダ領域に印刷条件データ６０１が格納され、それ以降にページ毎の画像データが格納されている。
【００４３】
送信部１６５は、印刷条件データと画像データとを含む印刷データを、画像形成装置１００に対して送信する。
【００４４】
本実施の形態にかかるＰＣ１５０において、印刷データに印刷条件データを含めることで、当該印刷データを受信した画像形成装置１００が、表紙用の画像データを特定することができる。
【００４５】
図１に戻り、画像形成装置１００は、受信部１０１と、印刷条件解釈部１０２と、描画データ生成部１０３と、特定部１０４と、印刷順制御部１０５と、記憶部１０６と、印刷部１０７と、データ制御部１０８と、を備えると共に、製本機１９０と接続されている。これにより、画像形成装置１００が印刷した紙原稿に対して、製本機１９０が、製本処理を行うことができる。
【００４６】
製本機１９０の構成や機構、およびくるみ製本を行うための処理については、従来から用いられている処理を用いることとして、説明を省略する。
【００４７】
受信部１０１は、印刷データを受信する。上述したように印刷データには、複数ページの画像データと、くるみ製本で表紙となるページが特定する情報を有する印刷条件データと、が含まれている。
【００４８】
受信した印刷条件データには、印刷データに含まれている複数ページの画像データうち、表紙用の画像データのページを特定する情報が含まれている。この印刷条件データの詳細については上述したとおりなので説明を省略する。そして、後述する印刷条件解釈部１０２が印刷条件データを抽出することで、特定部１０４が、最初から所定の数（１又は２）のページを前表紙用のページとして特定し、複数ページの画像データの最後から所定の数（１又は２）のページを後表紙用のページとして特定できる。
【００４９】
他の例としては、印刷条件データには、前表紙用又は後表紙用のページとして、１ページのみ特定する情報が含まれている。この場合、くるみ表紙として当該画像データ印刷されたページの裏面には、白紙設定部１１１により白紙が設定される。
【００５０】
データ制御部１０８は、受信した印刷データを、印刷条件データと、複数ページの画像データとに分割する。そして、データ制御部１０８は、分割した印刷データを、印刷条件解釈部１０２に出力する一方、分割した複数ページの画像データを、描画データ生成部１０３に出力する。
【００５１】
印刷条件解釈部１０２は、印刷条件データに含まれているコマンド列を抽出し、当該コマンド列に従って、各構成を制御する。
【００５２】
描画データ生成部１０３は、データ制御部１０８により入力された複数ページの画像データを変換し、印刷部１０７が印刷に用いる描画データを生成する。描画データ生成部１０３は、ページ順に描画データを生成する。
【００５３】
特定部１０４は、白紙設定部１１１を備え、印刷条件解釈部１０２が抽出したコマンド列に従って、印刷データに含まれていた複数ページの画像データから、くるみ製本の表紙用の画像データのページを特定する。
【００５４】
また、特定部１０４が前表紙用又は後表紙用のページとして、表面か裏面のいずれか１ページの画像データのページのみ特定し、他方の面で画像データが存在しないと判断した場合、白紙設定部１１１は、画像データが存在しない面に対して白紙を設定する。さらに、特定部１０４が、前表紙用又は後表紙用のページとして、両面共に画像データが存在しないと判断した場合、白紙設定部１１１は、画像データが存在しない両面に対して白紙を設定する。
【００５５】
印刷順制御部１０５は、配置判断部１１２を備え、特定部１０４により特定された表紙用の画像データのページに基づいて、描画データ生成部１０３により生成された描画データの印刷順を設定する。くるみ製本を行う場合、印刷順制御部は、くるみ製本用するために予め設定された印刷順序を設定する。予め設定された印刷順序とは、最初にくるみ製本用の表紙（１〜４ページの描画データ）を先に印刷した後本文内容を印刷する順序、又は本文内容を先に印刷した後にくるみ製本用の表紙１〜４ページの描画データ）を印刷する順序等とする。
【００５６】
記憶部１０６は、表紙の印刷を本文内容の後に印刷する場合に、前表紙用の画像データを一時的に記憶する。記憶部１０６は、ＨＤＤ（Ｈａｒｄ  Ｄｉｓｋ  Ｄｒｉｖｅ）、光ディスク、メモリカード、ＲＡＭ（Ｒａｎｄｏｍ  Ａｃｃｅｓｓ  Ｍｅｍｏｒｙ）などの一般的に利用されているあらゆる記憶手段により構成することができる。
【００５７】
配置判断部１１２は、表紙用画像データが、印刷データに含まれている複数ページのうち、最初からと最後からとに分割されているか否か判断する。そして、配置判断部１１２が、分割されていると判断した場合に、印刷順制御部１０５が、表紙用の描画データを記憶部１０６に一時的に記憶する。そして、本文内容の描画データについて印刷が終了した後に、表紙用の描画データが一括して印刷されることになる。
【００５８】
印刷部１０７は、印刷順制御部１０５に従って、表紙用の描画データと、本文内容の描画データとを、印刷順制御部１０５により設定された印刷順序に従って印刷する。
【００５９】
例えば、特定部１０４により、表紙用の描画データが最初からのページと、最後からのページとに分けられていることが特定された場合、印刷部１０７は、本文内容の描画データを印刷した後、記憶部１０６に記憶された前表紙用の描画データと、後表紙用の描画データと、を用いてくるみ製本用の表紙印刷を行う。
【００６０】
他の例としては、特定部１０４により、前表紙用の描画データ又は後表紙用の描画データが、表面又は裏面のいずれか１ページのみと特定された場合、白紙設定部１１１が、描画データがない面に白紙設定を行い、印刷部１０７は、設定された白紙に従って、描画データが存在する面（印刷するものとして特定されたページ）を、表紙用のページとして印刷し、他方の面（特定されたページの裏のページ）を、白紙として印刷する。
【００６１】
図７は、印刷データからくるみ製本を行う概念の第１の例を示した図である。図７に示した例では、くるみ製本するために、表紙と本文内容のページとが製本時のページ並びに従って配置された画像データを含む印刷データを受信した例とする。その際、上述したように特定部１０４が、印刷データに含まれるページ毎の画像データに対して、表紙（前表紙または後ろ表紙の表面、裏面）か本文内容かを特定する。特定部１０４により、表紙が最初の２ページと最後の２ページ（ｎ−１、ｎページ目）であることが特定されたものとする。
【００６２】
このため、図７に示すくるみ製本では、印刷部１０７が、本文内容を印刷した後に、１、２、ｎ―１、ｎページ目の描画データを含むくるみ表紙７０１を印刷する。そこで、最初に１ページ及び２ページ目の描画データが、記憶部１０６に一時的に記憶される。そして、印刷部１０７は、本文内容の印刷終了後、記憶部１０６に記憶された１ページ及び２ページ目の描画データとｎ−１ページ及びｎページ目の描画データとを用いて、くるみ表紙を印刷する。つまり、一枚のくるみ表紙７０１には、１ページ、２ページ、ｎ−１及びｎページ目の合計４ページの描画データが印刷される。
【００６３】
図８は、印刷データからくるみ製本を行う概念の第２の例を示した図である。図８に示すくるみ製本では、印刷部１０７が、ページ順に従って本文内容を印刷した後に、ｎ−３、ｎ−２、ｎ−１及びｎページ目の描画データを含むくるみ表紙８０１を印刷する。このため、図７に示したように記憶部１０６に一時的に記憶する必要はない。
【００６４】
つまり、図７に示した例では、利用者により作成されたページ順に画像データを配置して、ＰＣ１５０から画像形成装置１００に対して、印刷データを出力している。この場合、画像形成装置１００で、くるみ製本を行うためにデータ並びを変更する必要があるため、画像形成装置１００に処理負担がかかる。これに対し、図８に示した例では、表紙用の画像データがまとめられているため、画像形成装置１００による処理が容易であるが、ＰＣ１５０のプリンタドライバ１５２側で画像データを並び替える必要があるため、プリンタドライバ１５２における処理負担がかかる。換言すれば、画像形成装置１００とＰＣ１５０のいずれかに処理負担を負うべきか、利用者は選択できる。また、図７に示したような配置を行うプリンタドライバと、図８に示したようなプリンタドライバと、を別ドライバとしても良い。
【００６５】
図９は、印刷データからくるみ製本を行う概念の第３の例を示した図である。図９に示す印刷データ９０１では、前表紙の表面及び後表紙の表面の画像データが含まれていないものとする。この場合、印刷部１０７による印刷で片面印刷として扱われてしまう。この片面印刷では、基本的には表面のみ印刷するため、裏面が印刷されないことになり、意図したとおりに印刷できないという問題が生じる。そこで、画像データ列９０２に示すように、白紙設定部１１１により、前表紙の表面、及び後表紙の表面用に、白紙データが設定される。この場合、印刷部１０７は、両面印刷として処理する。これにより、前表紙及び後表紙の裏面を適切に印刷することが可能になる。
【００６６】
つまり、最初に１ページ目の描画データが、記憶部１０６に一時的に記憶される。そして、印刷部１０７は、本文内容の印刷終了後、記憶部１０６に記憶された２ページの白紙、１ページ目の描画データ及びｎページ目の描画データを用いて、くるみ表紙を印刷する。つまり、一枚のくるみ表紙９０３には、前表紙の表面が白紙、裏面に１ページ目、後ろ表紙の表面が白紙、裏面にｎページ目の描画データが印刷される。
【００６７】
このように、裏面のみに印刷したい場合、くるみ製本時に限らず、白紙設定部１１１が、表面に白紙情報を設定することで、両面ともに描画データがある通常の両面印刷による処理が可能となる。
【００６８】
また、白紙の設定は、図９に示した場合に限らず、さまざまなバリエーションが存在する。図１０及び図１１は、白紙設定部１１１により設定された白紙の例を示した概念図である。つまり、特定部１０４により複数ページの画像データから、くるみ製本の表紙用の画像データのページを特定した際に、適切に白紙設定部１１１が白紙を設定することで、印刷部１０７は、くるみ表紙を、通常の両面印刷で処理できる。これにより、利用者の意図に従ったくるみ表紙の印刷が可能となる。
【００６９】
なお、本実施の形態とは異なるが、裏面のみ印刷する場合に、白紙設定部１１１が白紙を設定するのではなく、画像形成装置１００が通常の両面印刷と同じ搬送経路を用いて搬送することで、裏面のみ印刷してもよい。
【００７０】
次に、本実施の形態にかかるＰＣ１５０における印刷コードを送信するまでの処理について説明する。図１２は、本実施の形態にかかるＰＣ１５０における上述した処理の手順を示すフローチャートである。
【００７１】
まず、ＰＣ１５０のプリンタドライバ１５２の印刷指示受付部１６１が、印刷命令の選択を受け付ける（ステップＳ１２０１）。その後、ＰＣ１５０では、印刷するためのウィンドウが表示される。
【００７２】
そして、表示されたウィンドウにおいて、印刷指示受付部１６１が、くるみ製本の選択を受け付ける（ステップＳ１２０２）。当該ウィンドウの例としては、図２に示すウィンドウなどが考えられる。
【００７３】
次に、ページ特定受付部１６２が、印刷するページ毎の画像データについて、くるみ製本の表紙用のページを特定する情報の入力を受け付ける（ステップＳ１２０３）。この特定する情報としては、図３に示したウィンドウにおける、表紙画像データの配置３０１のチェックの有無、各面の印刷３０２〜３０５のチェックの有無等とする。
【００７４】
その後、印刷指示受付部１６１が、ウィンドウにおける決定ボタンの押下を受け付ける（ステップＳ１２０４）。
【００７５】
そして、印刷条件データ生成部１６３が、くるみ製本で表紙用のページを特定する情報を含む印刷条件データを生成する（ステップＳ１２０５）。本実施の形態では、印刷条件データ生成部１６３は、ステップＳ１２０３で入力を受けた情報を表すコマンド列を含む印刷条件データを生成する。
【００７６】
次に、印刷データ生成部１６４が、印刷する文書データ又は画像データを画像形成装置１００が認識可能な画像データを生成し、当該画像データと印刷条件データとを含む印刷データを生成する（ステップＳ１２０６）。
【００７７】
その後、送信部１６５が、生成した印刷データを、画像形成装置１００に送信する（ステップＳ１２０７）。
【００７８】
上述した処理手順では、表紙用の画像データを特定する印刷条件データが含まれているため、送信先の画像形成装置１００でどの画像データを表紙用に用いるのか特定することができる。
【００７９】
次に、本実施の形態にかかる画像形成装置１００における全体的な処理について説明する。図１３は、本実施の形態にかかる画像形成装置１００における上述した処理の手順を示すフローチャートである。
【００８０】
まず、受信部１０１は、ＰＣ１５０から印刷データを受信する（ステップＳ１３０１）。
【００８１】
次に、データ制御部１０８が、印刷データを印刷条件データと画像データとに分割する（ステップＳ１３０２）。
【００８２】
その後、印刷条件解釈部１０２が、印刷条件データに含まれているコマンド列を抽出する（ステップＳ１３０３）。そして、印刷条件解釈部１０２が抽出したコマンド列に従って、特定部１０４が、くるみ製本の表紙用の画像データのページを特定する（ステップＳ１３０４）。
【００８３】
次に、特定部１０４は、特定された表紙用の画像データのページから、表紙両面分の画像データが存在するか否か判断する（ステップＳ１３０５）。両面分の画像データが存在すると判断した場合（ステップＳ１３０５：Ｙｅｓ）、特に処理を行わない。
【００８４】
一方、特定部１０４が両面分の画像データが存在しないと判断した場合（ステップＳ１３０５：Ｎｏ）、白紙設定部１１１が、画像データが存在しない面に、白紙を設定する（ステップＳ１３０６）。
【００８５】
そして、描画データ生成部１０３が、印刷データに含まれていた画像データから、印刷に用いる描画データを生成する（ステップＳ１３０７）。
【００８６】
その後、配置判断部１１２は、特定部１０４により特定されたページに基づいて、表紙用の画像データが、画像データの最初からと最後からとに分けて格納されていたか判断する（ステップＳ１３０８）。分かれていないと判断した場合（ステップＳ１３０８：Ｎｏ）、記憶部１０６を用いた処理は特に行わない。
【００８７】
そして、配置判断部１１２が分けて格納されていたと判断した場合（１３０８：Ｙｅｓ）、印刷順制御部１０５が、最初に配置されていた表紙用の描画データを。記憶部１０６に一時的に記憶する（ステップＳ１３０９）。
【００８８】
その後、印刷部１０７が印刷制御を実行する（ステップＳ１３１０）。
【００８９】
上述した処理手順により、印刷条件データに含まれている情報に基づいて、表紙用の画像データを特定し、印刷制御を行うことが可能となる。
【００９０】
次に、図１３のステップＳ１３１０で示した、本実施の形態にかかる印刷部１０７における印刷制御の処理について説明する。図１４は、本実施の形態にかかる印刷部１０７における上述した処理の手順を示すフローチャートである。
【００９１】
まず、印刷部１０７は、特定部１０４により特定された表紙用画像データのページの位置から、表紙を本文内容より先に印刷するか否か判断する（ステップＳ１４０１）。
【００９２】
そして、表紙を本文内容より先に印刷すると判断した場合（ステップＳ１４０１：Ｙｅｓ）、くるみ表紙の印刷を行う（ステップＳ１４０２）。
【００９３】
次に、本文内容の印刷が終了したか否か判断する（ステップＳ１４０３）。終了していないと判断した場合（ステップＳ１４０３：Ｎｏ）、描画データ毎に、本文内容用の紙媒体に印刷し、再びステップＳ１４０３に進む（ステップＳ１４０４）。終了したと判断した場合（ステップＳ１４０３：Ｙｅｓ）、ステップＳ１４０５に進む。
【００９４】
一方、ステップＳ１４０１において、表紙を本文内容より先に印刷しないと判断した場合（ステップＳ１４０１：Ｎｏ）、本文内容の印刷が終了したか否か判断する（ステップＳ１４０６）。終了していないと判断した場合（ステップＳ１４０６：Ｎｏ）、描画データ毎に、本文内容用の紙媒体に印刷し、再びＳ１４０６に進む（ステップＳ１４０７）。
【００９５】
一方、印刷部１０７が、終了したと判断した場合（ステップＳ１４０６：Ｙｅｓ）、表紙印刷するか否か判断する（ステップＳ１４０８）。表紙印刷しないと判断した場合（ステップＳ１４０８：Ｎｏ）、ステップＳ１４０５に進む。
【００９６】
そして、印刷部１０７が、表紙印刷すると判断した場合（ステップＳ１４０８：Ｙｅｓ）、記憶部１０６にくるみ表紙用の描画データが格納されているか否か判断する（ステップＳ１４０９）。格納されていないと判断した場合（ステップＳ１４０９：Ｎｏ）、そのまま、入力された描画データを用いてくるみ表紙の印刷を行う（ステップＳ１４１０）。
【００９７】
一方、印刷部１０７が、記憶部１０６に格納されていると判断した場合（ステップＳ１４０９：Ｙｅｓ）、記憶部１０６に記憶されていた、くるみ表紙用の描画データを読み出す（ステップＳ１４１１）。
【００９８】
そして、印刷部１０７が、読み出された描画データと、入力された描画データとを用いて、くるみ表紙を印刷する（ステップＳ１４１２）。
【００９９】
その後、製本機１９０が製本処理を行い、くるみ表紙で、本文内容が印刷された紙媒体をくるむ（ステップＳ１４０５）。
【０１００】
上述した画像形成装置１００においては、ＰＣ１５０から送信される印刷データに含まれている印刷条件データから、いずれのページが本文内容で、いずれのページが表紙かを特定することができる。このため、ＰＣ１５０と画像形成装置１００との間で、表紙のページを特定できるように設定する必要がなくなり、作業負担を軽減できる。
【０１０１】
また、印刷条件データで、くるみ製本を行うためのコマンドが含まれているため、画像形成装置１００で、くるみ製本を行うための設定が不要となり、操作負担が軽減できる。
【０１０２】
また、画像形成装置１００において、白紙設定部１１１により、くるみ表紙に対して、描画データが存在しない面に白紙を設定することで、くるみ表紙の各面に対して、利用者の要求に適した印刷を行うことができる。
【０１０３】
（変形例）
また、上述した各実施の形態に限定されるものではなく、以下に例示するような種々の変形が可能である。
【０１０４】
（変形例１）
上述した第１の実施の形態にかかるＰＣ１５０において、表紙用の画像データを、最初からか、最後からか、最初から及び最後からか、を選択可能とした。しかしながら、このような選択手法に制限するものではなく、ＰＣ１５０のプリンタドライバ１５２により表示されたウィンドウにおいて、表紙用の画像データのページ番号を直接設定するなど、他の選択手法を用いても良い。この場合、表紙用の画像データのページ番号が、印刷条件データに格納される。そして、画像形成装置１００で、当該印刷条件データにより、表紙用の画像データが格納されているページ番号を特定することができる。
【０１０５】
例えば、くるみ表紙の前表紙の表面に、画像データの１ページ目を割り当てる場合、コマンド列には、“@PJL  SET  PERFECTBINDFRONTSIDEPRINT_FRONT  =  1”を格納する等が考えられる。さらに、くるみ製本の後表紙の表面に、画像データの最後（p39）のページを割り当てる場合、コマンド列“@PJL  SET  PERFECTBINDBACKSIDEPRINT_FRONT  =  39”を格納しても良いし、コマンド列“@PJL  SET  PERFECTBINDBACKSIDEPRINT_FRONT  =  LAST  PAGE”を格納しても良い。
【０１０６】
（変形例２）
上述した第１の実施の形態においては、ＰＣ１５０プリンタドライバ１５２において印刷データを生成する例について説明した。しかしながら、プリンタドライバ１５２で印刷データを生成することに制限するものではない。変形例２としては、ＰＣ１５０に、くるみ製本するための印刷データを生成できるアプリケーションを搭載してもよい。この場合、プリンタドライバ１５２で示した各構成が、アプリケーションに搭載されることになる。
【０１０７】
（変形例３）
さらに、印刷データの生成は、ＰＣ１５０に制限するものではなく、ＵＮＩＸ（登録商標）が搭載された装置のフィルタを用いても良い。
【０１０８】
このフィルタを用いる例としては、ＰＲＩＮＴＣＡＰを利用する等がある。ＰＲＩＮＴＣＡＰを用いることで、各プリンタに特定のフォーマットデータとして、上述した印刷条件を、ヘッダとして付加するフィルタを記述できる。そして、ヘッダを付与するフィルタを記述することでヘッダを付与することができる。さらに、ＰＲＩＮＴＣＡＰを用いたフィルタに制限するものではなく、例えばＣＵＰＳ(Common  Unix  Printing  System)を利用してもよい。
【０１０９】
図１５は、第１の実施の形態にかかるＰＣ１５０のハードウェア構成を示した図である。上述した第１の実施の形態にかかるＰＣ１５０は、処理を実行するＣＰＵ１６０１と、ＲＯＭ（Read  Only  Memory）１６０２やＲＡＭ１６０３などの記憶装置と、ＨＤＤ、ＣＤドライブ装置などの外部記憶装置１６０４と、ディスプレイ装置などの表示装置１６０５と、キーボードやマウスなどの入力装置１６０６と、ネットワークと接続する通信インターフェース１６０７と、これらを接続するバス１６０８と、を備えており、通常のコンピュータを利用したハードウェア構成となっている。
【０１１０】
本実施の形態にかかるＰＣ１５０で実行されるプリンタドライバ１５２プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１１１】
また、本実施の形態にかかるＰＣ１５０で実行されるプリンタドライバ１５２プログラムを、インターネット等のネットワークに接続されたコンピュータ上に格納し、ネットワーク経由でダウンロードさせることにより提供するように構成しても良い。また、本実施の形態にかかるＰＣ１５０で実行されるプリンタドライバ１５２プログラムをインターネット等のネットワーク経由で提供または配布するように構成しても良い。
【０１１２】
また、本実施の形態にかかるプリンタドライバ１５２プログラムを、ＲＯＭ等に予め組み込んで提供するように構成してもよい。
【０１１３】
本実施の形態にかかるＰＣ１５０で実行されるプリンタドライバ１５２プログラムは、上述した構成を含むモジュール構成となっており、実際のハードウェアとしてはＣＰＵ１６０１が上記記憶媒体（例えば、外部記憶装置１６０４）からプリンタドライバ１５２プログラムを読み出して実行することにより上記各部が主記憶装置上にロードすることで、上述した各構成がＲＡＭ１６０３上に生成される。
【０１１４】
図１６は、第１の実施の形態にかかる画像形成装置１００のハードウェア構成を示すブロック図である。本図に示すように、この画像形成装置１００は、コントローラ１０とエンジン部（Engine）６０とをＰＣＩ（Peripheral  Component  Interconnect）バスで接続した構成となる。コントローラ１０は、画像形成装置１００全体の制御と描画、通信、操作部２０からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【０１１５】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application  Specific  Integrated  Circuit）１６と、ハードディスクドライブ（ＨＤＤ）１８とを有し、ノースブリッジ（ＮＢ）１３とＡＳＩＣ１６との間をＡＧＰ（Accelerated  Graphics  Port）バス１５で接続した構成となる。また、ＭＥＭ−Ｐ１２は、ＲＯＭ（Read  Only  Memory）１２ａと、ＲＡＭ(Random  Access  Memory)１２ｂとをさらに有する。
【０１１６】
ＣＰＵ１１は、画像形成装置１００の全体制御をおこなうものであり、ＮＢ１３、ＭＥＭ−Ｐ１２およびＳＢ１４からなるチップセットを有し、このチップセットを介して他の機器と接続される。
【０１１７】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０１１８】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０１１９】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１２０】
ＡＳＩＣ１６は、画像処理用のハードウェア要素を有する画像処理用途向けのＩＣ（Integrated  Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct  Memory  Access  Controller）と、エンジン部６０との間でＰＣＩバスを介したデータ転送をおこなうＰＣＩユニットとからなる。このＡＳＩＣ１６には、ＰＣＩバスを介してＦＣＵ（Fax  Control  Unit）３０、ＵＳＢ（Universal  Serial  Bus）４０、ＩＥＥＥ１３９４（the  Institute  of  Electrical  and  Electronics  Engineers  1394）インターフェース５０が接続される。
【０１２１】
ＭＥＭ−Ｃ１７は、コピー用画像バッファ、符号バッファとして用いるローカルメモリであり、ＨＤＤ（Hard  Disk  Drive）１８は、画像データの蓄積、プログラムの蓄積、フォントデータの蓄積、フォームの蓄積を行うためのストレージである。
【０１２２】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１２３】
なお、本実施の形態にかかる画像形成装置１００で実行される画像処理プログラムは、ＲＯＭ等に予め組み込まれて提供される。
【０１２４】
本実施の形態にかかる画像形成装置１００で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１２５】
さらに、本実施の形態にかかる画像形成装置１００で実行される画像処理プログラムを、インターネット等のネットワークに接続されたコンピュータ上に格納し、ネットワーク経由でダウンロードさせることにより提供するように構成しても良い。また、本実施の形態にかかる画像形成装置１００で実行される画像処理プログラムをインターネット等のネットワーク経由で提供または配布するように構成しても良い。
【０１２６】
本実施の形態にかかる画像形成装置１００で実行される画像処理プログラムは、上述した構成を含むモジュール構成となっており、実際のハードウェアとしてはＣＰＵ１１が上記ＲＯＭ１２ａから画像処理プログラムを読み出して実行することにより上記各部が主記憶装置上にロードされ、各構成がＲＡＭ１２Ｂ上に生成される。
【図面の簡単な説明】
【０１２７】
【図１】第１の実施の形態にかかるネットワークを介して接続された画像形成装置とＰＣの構成を示すブロック図である。
【図２】第１の実施の形態にかかるＰＣで表示される、画像形成装置のプロパティのウィンドウの例を示した図である。
【図３】第１の実施の形態にかかるＰＣで表示される、くるみ製本の詳細設定を行うためのウィンドウの例を示した図である。
【図４】第１の実施の形態にかかるＰＣで生成される印刷条件データの例を示した図である。
【図５】第１の実施の形態にかかるＰＣで生成される印刷条件データの他の例を示した図である。
【図６】第１の実施の形態にかかるＰＣで生成される印刷データの例を示した図である。
【図７】第１の実施の形態にかかる印刷データからくるみ製本を行う概念の第１の例を示した図である。
【図８】第１の実施の形態にかかる印刷データからくるみ製本を行う概念の第２の例を示した図である。
【図９】第１の実施の形態にかかる印刷データからくるみ製本を行う概念の第３の例を示した図である。
【図１０】第１の実施の形態にかかる白紙設定部により設定された白紙の第１の例を示した概念図である。
【図１１】第１の実施の形態にかかる白紙設定部により設定された白紙の第２の例を示した概念図である。
【図１２】第１の実施の形態にかかるＰＣにおける印刷コードを送信するまでの処理の手順を示すフローチャートである。
【図１３】第１の実施の形態にかかる画像形成装置における全体的な処理の手順を示すフローチャートである。
【図１４】第１の実施の形態にかかる画像形成装置の印刷部における印刷制御の処理の手順を示すフローチャートである。
【図１５】第１の実施の形態にかかるＰＣのハードウェア構成を示した図である。
【図１６】第１の実施の形態にかかる複合機のハードウェア構成を示すブロック図である。
【符号の説明】
【０１２８】
１０  コントローラ
１１  ＣＰＵ
１２  ＭＥＭ−Ｐ
１２ａ  ＲＯＭ
１２ｂ  ＲＡＭ
１３  ＮＢ
１４  ＳＢ
１５  ＡＧＰバス
１６  ＡＳＩＣ
１７  ＭＥＭ−Ｃ
１８  ＨＤＤ
２０  操作部
３０  ＦＣＵ
４０  ＵＳＢインターフェース
５０  ＩＥＥＥ１３９４インターフェース
６０  エンジン部
１００  画像形成装置
１０１  受信部
１０２  印刷条件解釈部
１０３  描画データ生成部
１０４  特定部
１０５  印刷順制御部
１０６  記憶部
１０７  印刷部
１０８  データ制御部
１１１  白紙設定部
１１２  配置判断部
１５１  文書編集アプリケーション
１５２  プリンタドライバ
１６１  印刷指示受付部
１６２  ページ特定受付部
１６３  印刷条件データ生成部
１６４  印刷データ生成部
１６５  送信部
１８０  ネットワーク
１９０  製本機
１６０１  ＣＰＵ
１６０２  ＲＯＭ
１６０３  ＲＡＭ
１６０４  外部記憶装置
１６０５  表示装置
１６０６  入力装置
１６０７  通信インターフェース
１６０８  バス
【図１】
2009223405.tif 000003
【図２】
2009223405.tif 000004
【図３】
2009223405.tif 000005
【図４】
2009223405.tif 000006
【図５】
2009223405.tif 000007
【図６】
2009223405.tif 000008
【図７】
2009223405.tif 000009
【図８】
2009223405.tif 000010
【図９】
2009223405.tif 000011
【図１０】
2009223405.tif 000012
【図１１】
2009223405.tif 000013
【図１２】
2009223405.tif 000014
【図１３】
2009223405.tif 000015
【図１４】
2009223405.tif 000016
【図１５】
2009223405.tif 000017
【図１６】
2009223405.tif 000018